(57)【特許請求の範囲】
【請求項１】
トレイ状の白色の本体板と、前記本体板の周縁に着脱可能に前記本体板を被覆できるように形成した乳白色透光性の照明カバーと、前記本体板の中央穴に着脱可能に嵌着できるようにしたアダプタと、前記本体板に各種電球をそれぞれ螺入できるようにした複数個の白色の電球螺入用ソケットを備えて、前記電球螺入用ソケットに、螺入した電球が点灯したとき、前記本体板の中央部に向って配光できるように、前記各電球螺入用ソケットを放射状に配置すると共に、前記電球螺入用ソケットの近くに、前記螺入した各電球の点灯による放熱ができる通気口を設けて、前記各通気口に、前記各通気口からの照明洩れを遮断して光反射できるようにした通気口カバーをそれぞれ設けたことを特徴とした電球用シーリングライト。
【請求項２】
前記電球をそれぞれ螺入できるようにした前記電球螺入用ソケット４個が、前記本体板の上板内面に平行に設けられて前記本体板の上板の中央穴に向って、十字の放射状に配置されると共に、前記電球螺入用ソケット近くに、前記通気口からの照明洩れを遮断して光反射できるようにした通気口カバーをそれぞれ設けたことを特徴とした請求項１記載の電球用シーリングライト。
【発明の詳細な説明】
【技術分野】
【０００１】
本発明は、電球を使用したシーリングライトに関する。
【背景技術】
【０００２】
従来の天井直付け照明器具としてのシーリングライト（Ceiling Light ）は、主として環状蛍光灯が使用されてきた。また、最近ではスパイラル状、直管状のＬＥＤ（Light Emitting Diode）製のものが使用されるようになったが、高価につく欠点があった。
これに対し、一般電球形のＬＥＤ（以下、ＬＥＤ電球という。）は、漸次、量産化されてきて価格はかなり低下し、従来型の一般電球形の白熱電球、電球形蛍光灯等が使用されている照明器具に漸次使用されつつあるが、照明器具としての利用用途は殆どが１灯タイプに限定されており、多灯を必要とする密封形のシーリングライトとしての利用は不向きとされていた。その主な理由としては、（１）白熱電球に比べ直下方向には明るいが口金方向には暗い、従って乳白色透光性の照明カバーに入れると、暗くなる部分ができて照明カバー全体が平均的に光らない。（２）照明カバーで密封すると、ＬＥＤ電球のヒートシンク（Heat Sink）やアルマイト加工部分の放熱が不十分になり安全性や球寿命に影響が出る恐れがあるなどである。
【先行技術文献】
【特許文献】
【０００３】
【特許文献１】特開平０６−２５１６１５号公報
【発明の概要】
【発明が解決しようとする課題】
【０００４】
本発明は、各種電球を使用できるようにした電球用シーリングライトを提供するものである。
また、本発明は、大きな節電効果と照明量が得られると共に照明カバーを平均的に光らせる電球用シーリングライトを提供するものである。
また、本発明は、構造簡単軽量で極めて安価に製作でき、各種の電球を自由に選択して使用できる電球用シーリングライトを提供するものである。
さらに、本発明は、必要に応じ、一般電球形のＬＥＤ電球のほか、一般電球形の白熱電球、電球形蛍光灯等も安全に使用できるようにした電球用シーリングライトを提供するものである。
【課題を解決するための手段】
【０００５】
本発明の電球用シーリングライトは、上記課題を達成するため、図示するように、請求項１の発明は、トレイ状の白色の本体板と、前記本体板の周縁に着脱可能に前記本体板を被覆できるように形成した乳白色透光性の照明カバーと、前記本体板の中央穴に着脱可能に嵌着できるようにしたアダプタと前記本体板に各種電球をそれぞれ螺入できるようにした複数個の白色の電球螺入用ソケットを備えて、前記電球螺入用ソケットに、螺入した電球が点灯したとき、前記本体板の中央部に向って配光できるように、前記各電球螺入用ソケットを放射状に配置すると共に、前記電球螺入用ソケットの近くに、前記螺入した各電球の点灯による放熱ができる通気口を設けて、前記各通気口に、前記各通気口からの照明洩れを遮断して光反射できるようにした通気口カバーをそれぞれ設けたものである。
また、本発明の電球用シーリングライトは、上記課題を達成するため、図示するように、請求項２の発明は、請求項１の発明において、前記電球をそれぞれ螺入した前記電球螺入用ソケット４個が、前記本体板の上板内面に平行に設けられて前記本体板の上板の中央穴に向って、十字の放射状に配置されると共に、前記電球螺入用ソケット近くに、前記通気口からの照明洩れを遮断して光反射できるようにした通気口カバーをそれぞれ設けたものである。
本発明において、アダプタは、天井に取りつけられる丸形又は角形の引掛けシーリングや露出型又は埋込型の引掛けローゼットなどの公知の天井用配線器具の引掛け穴に挿入して着脱可能に固着することにより配線接続してシーリングライト内に給電する公知の装置である。
照明カバーは、一般にセード（Shade）と称せられる乳白色透光性のシーリングライト用の公知の合成樹脂製カバーで、本体板の円形又は方形等の形状に合わせて着脱可能に被覆されるものである。
通気口は、密封構造のシーリングライト内の電球の放熱による熱気を排出するためのもので、必要に応じ、排気口と吸気口に分けることができる。通気口カバーは、通気口からの照明洩れを防止すると共に、本体板と同色にして光反射させるため、通気口からの熱気の排出に支障がないように通気口をＬ字形、コ字形等に成形した金属薄板等で被覆できるようにしたものである。
電球螺入用ソケットは、本体板と同色にした陶器製、合成樹脂製等の公知のものである。電球螺入用ソケットは、螺入した電球が点灯したとき、本体板の中央部に向って電球の光を配光できるように、放射状に配置し、照明カバーで被覆したとき、照明カバーを平均的に光らせるようにする。前記各ソケット後部はＬ型等の支持板に支持されて本体板に取りつけられる。また、電球螺入用ソケットは、本体板とほぼ平行に取りつけられる。
照明カバーは、一般にセードと称せられる公知の乳白色透光性の合成樹脂製カバーである。
照明カバーは、本体板の周縁に着脱可能に本体板を被覆できるように形成されている。
【発明の効果】
【０００６】
本発明は、点灯した電球の光を本体板の中央に配光させるので、乳白色透光性の照明カバーを平均的に光らせて多灯電球に拘わらずシーリングライトとしての照明が発揮できる。
また、本発明によれば、電球の放熱は、本体板に設けられた通気口から排気及び吸気ができるので、シーリングライトの密封構造に拘わらず、シーリングライトの安全性と電球等の寿命の確保ができる。また、通気口は、通気口カバーで被覆されて通気口からの照明洩れが防止されると共に、本体板と同色のため光反射される。
また、本発明シーリングライトは、通気口及びそのカバーがあるので、必要に応じ、白熱電球、電球形蛍光灯等も安全に使用できる。
さらに、従来の蛍光灯を使用したシーリングライトに比べ、構造簡単かつ軽量で、極めて安価に製作でき、特にＬＥＤ電球や電球形蛍光灯を多灯使用した場合、大きな節電効果と照明量が得られる。
【図面の簡単な説明】
【０００７】
【図１】本発明の実施例を示し、照明カバーを取り除いて平面図的にみた概略説明図である。
【図２】図１のＸ−Ｘ線から断面図的にみた概略説明図である。
【図３】図１の使用状態を示した概略説明図である。
【発明を実施するための最良の形態】
【０００８】
本発明の最良の形態が実施例１に記載される。
【実施例１】
【０００９】
本発明電球用シーリングライトの実施例１が図１、図２及び図３に示されている。
図１では、公知の配線及び公知の照明カバーの着脱装置が省略されている。
図２では、公知の配線が省略されている。
本発明実施例の電球用シーリングライトは、本体板１０と、照明カバー２０と、アダプタ３０と、電球螺入用ソケット５０とを備えている。
本体板１０は金属製で、白色の上板１１と白色の側板１２とからなり、上板１１は、４個のＬＥＤ電球（消費電力４．０Ｗ、光束３２０ルーメン）４０を螺入した白色の電球螺入用ソケット４個５０がＬ形白色の支持板５１を介して上板１１に取りつけられている。また、上板１１の中央穴１１１には着脱可能に天井の引掛けシーリング６０に着脱可能に固着されるアダプタ６０が取りつけられ、天井配線と電気的に接続される。
また、４個の電球螺入用ソケット５０は、上板１１の中央穴１１に向って十字状の放射状配置に取りつけられ、螺入した電球４０を点灯したとき、本体板１０の中央に向って配光できるようにしている。
また、本体板１０の上板１１には、螺入した各電球４０の放熱用ヒートシンク４１近くに各電球の点灯による放熱ができる通気口１１２が設けられ、通気口１１２からの照明洩れを遮断して光反射できるようにした白色のＬ字状通気口カバー１１３が設けられている。
照明カバー２０は、本体板１０の側板１２の縁部１２１に着脱可能に嵌合できるように形成されている。
本発明は、上述のように構成されるので、アダプタ３０を天井７０の引掛けシーリング６０に引掛けて電気接続し、４個のＬＥＤ電球４０を点灯すると、４個のＬＥＤ電球４０の配光（約１２００ルーメン）は、照明カバー２０を平均的に照らすことになる。
【産業上の利用可能性】
【００１０】
本発明電球用シーリングライトは、製作容易で安価に量産できる。
【符号の説明】
【００１１】
１０            本体板
１１            本体板の上板
１１１          中央穴 
１１２          通気口
１１３          通気口カバー
１２            本体板の側板
１２１          側板縁部
２０            照明カバー
３０            アダプタ
４０            電球
４１            電球のヒートシンク
４２            電球の発光部分
５０            電球螺入用ソケット
６０            天井引掛けシーリング又は引掛けローゼット
７０            天井
【図１】
0005439687.tif 000002
【図２】
0005439687.tif 000003
【図３】
0005439687.tif 000004